(57)【要約】【課題】  大判原稿を原稿台ガラス上に載置してから、原稿搬送部を閉じる時に、原稿に折れ曲がりや破損が発生しないようにする。【解決手段】  原稿搬送部とは独立して支持される排紙トレイの後端壁を、原稿搬送部を閉じた時に原稿搬送部と後端壁によって挟まれる大判原稿の腰で横臥するようにする。  また、後端壁を移動させる移動手段を設け、原稿搬送部が非動作時には、後端壁を横臥させる。【選択図】  図２
2007173944.tif 000002
【特許請求の範囲】
【請求項１】
原稿の画像を読取る画像読取手段と、
前記画像読取手段に対して接離可能に配置され、原稿を搬送する原稿搬送手段と、
前記原稿搬送手段から排出される原稿を積載する排紙トレイと、
前記排紙トレイに積載された原稿の排出方向後端側の位置を規制する後端壁と、
前記後端壁を変位可能に支持する支持手段と、有することを特徴とする画像読取装置。
【請求項２】
原稿の画像を読取る画像読取手段と、
前記画像読取手段に対して接離可能に配置され、原稿を搬送する原稿搬送手段と、
前記画像読取手段に配置された突起部材と、
前記突起部材を、突起量が多い第１の位置と、突起量が少ない第２の位置に変位させる変位手段と、
前記原稿搬送手段が非動作時に、前記突起部材を前記第２の位置に変位させるように前記変位手段を制御する制御手段と、を有することを特徴とする画像読取装置。
【請求項３】
画像の読み取られる原稿が載置される原稿台ガラスを備えた原稿読取部と、
前記原稿読取部に対して開閉可能であって、画像の読み取られる原稿を前記原稿台ガラス上に搬送する原稿搬送手段と、
前記原稿搬送手段によって搬送された原稿が積載される排紙トレイと、
前記原稿台ガラスと前記排紙トレイとの間に設けられ、前記排紙トレイに積載された原稿端の位置を規制する壁と、を有し、
前記壁は、前記排紙トレイに積載された原稿端の位置を規制するための、前記原稿台ガラスの上面と前記排紙トレイとの間を遮断する規制位置と、前記原稿台ガラスの上面と前記排紙トレイとを連通させる位置と、に移動可能であることを特徴とする画像読取装置。
【発明の詳細な説明】
【技術分野】
【０００１】
本発明は、原稿の画像を読取る画像読取装置に関するものである。
【背景技術】
【０００２】
図４に示すように原稿読取部１０１に対して、接離可能に原稿搬送部１０２が支持されている。原稿搬送部１０２から原稿が排出される方向が高くなるような傾斜部２０１ａが形成されている排紙トレイ部２０１が、読取り部１０１に固定されている。排紙トレイ部２０１上に積載された原稿の原稿排出方向後端側の位置を規制する後端壁部２０２が設けられている。後端壁部２０２は、原稿搬送部１０２が原稿読取部１０１から離間している時にも、排紙トレイ部２０１上の原稿が傾斜部２０１ａの傾斜により原稿読取部１０１上に移動しないようにしている。後端壁２０２が高ければ高いほど、排紙トレイ２０１上に積載できる原稿の枚数を増やせるので、後端壁２０２の上端は、原稿が原稿搬送部１０２から排出される排出口２１近傍直下まで延長されている。
【０００３】
また、特許文献１には原稿トレイ上の原稿を原稿台ガラスまで搬送してから再び原稿トレイ上に排出するような原稿搬送部を備える装置が記載されている。
【特許文献１】特開平３−１３８２４９号公報（第４頁、図３）
【発明の開示】
【発明が解決しようとする課題】
【０００４】
上記従来例では、原稿台ガラス１上に載置された原稿６が、後端壁２０２まで延長するような大判の場合に以下の問題がある。原稿を原稿台ガラス１上に載置した後に原稿搬送部１０２を原稿読取部１０１に近接させると、大判の原稿６は原稿搬送部１０２と後端壁２０２に挟まれてしまい、折り曲げられたり、破損させられたりしてしまう。
【０００５】
また、特許文献１では、原稿トレイ上の原稿を原稿台ガラスまで搬送してから再び原稿トレイ上に排出するような原稿搬送部を備える装置である。そして、原稿台ガラスと原稿搬送部との受け渡し部材を弾性材により構成したり、受け渡し部材を可動式にする構成が開示されている。ところが、このような原稿搬送部の構成においては、原稿台ガラス上の原稿を原稿台ガラス上から取り除いてから次の原稿を原稿台ガラスに搬送している。よって、画像読取動作をしていない時間が増大し、生産性が劣悪であった。また、読取位置を固定して、搬送している原稿を読取るようなシートスルー方式の読み取りにすると、原稿を読取位置を越える位置まで搬送してから原稿トレイ方向に戻すのことになる。よって、生産がさらに劣化するため、このような原稿搬送部の構成ではシートスルー方式の読取を採用することはない。さらに、原稿トレイから原稿を搬送している時に、原稿トレイ上に原稿が排出されてくるので、排出された原稿の整合性が悪く、原稿の搬送不良を頻発させる原因となっていた。
【課題を解決するための手段】
【０００６】
以上のような問題を解決するために本発明の請求項１の画像読取装置では、原稿の画像を読取る画像読取手段と、前記画像読取手段に対して接離可能に配置され、原稿を搬送する原稿搬送手段と、前記原稿搬送手段から排出される原稿を積載する排紙トレイと、前記排紙トレイに積載された原稿の排出方向後端側の位置を規制する後端壁と、前記後端壁を変位可能に支持する支持手段と、有する。よって、生産性が高く、搬送不良が発生しない、且つ後端壁による原稿の折り曲げ、破損を発生させることなく画像の読み取りが出来るようになった。
【０００７】
また、第２の請求項の画像読取装置では、原稿の画像を読取る画像読取手段と、前記画像読取手段に対して接離可能に配置され、原稿を搬送する原稿搬送手段と、前記画像読取手段に配置された突起部材と、前記突起部材を、突起量が多い第１の位置と、突起量が少ない第２の位置に変位させる変位手段と、前記原稿搬送手段が非動作時に、前記突起部材を前記第２の位置に変位させるように前記変位手段を制御する制御手段と、を有する。よって、後端壁による原稿への影響は少なくなる。
【発明の効果】
【０００８】
以上説明したように、本発明によれば、搬送不良及び原稿の折り曲げ、破損を発生させることのなく、また、画像読取の非動作時間を短縮し、効率よく画像の読み取りを行なうことができるようになった。
【発明を実施するための最良の形態】
【０００９】
（第１の実施例）
図１は、本発明を適用した画像読取装置としてのデジタルスキャナの概略構成を示す断面図である。
【００１０】
原稿搬送部１０２は、原稿読取部１０１に対して接離可能に支持（図示せず）されている。また、原稿搬送部１０２によって搬送された原稿が積載される排紙トレイ１６は原稿搬送部１０２とは独立して原稿読取部１０１に支持されている。
【００１１】
１は原稿読取部１０１に設けられた原稿台ガラスである。原稿搬送部１０２を原稿読取部１０１に対して開くと原稿台ガラス１が露出する。原稿搬送部１０２を原稿読取部１０１に対して閉じると原稿台ガラス１に載置された原稿が原稿搬送部１０２によって押さえることができる。
【００１２】
原稿台ガラス１の下部には、第１ミラー２、第２ミラー３、第３ミラー４、レンズ５が配置されている。第１ミラー２、第２ミラー３、第３ミラー４、レンズ５は、原稿台ガラス１に載置された原稿６の画像を走査し、ＣＣＤ７上に結像させる。この動作によって原稿の画像の読取をデジタルスキャナが行なう。
【００１３】
原稿台ガラス１の上には原稿６を原稿台ガラス１上に給紙し、排紙するための搬送ベルト８が配置されている。搬送ベルト８は、原稿台ガラス１の両端に対応して配置された駆動ローラ９と従動ローラ１０により懸架されている。搬送ベルト８は、駆動ローラ９の回転によって駆動される。駆動ローラ９と従動ローラ１０の間には、原稿台ガラス１に搬送ベルト８に対して自重若しくはスプリングにより加圧（図示せず）する加圧ローラ１１を複数設けている。加圧ローラ１１は、搬送ベルト８を原稿台ガラス１面へ当接させ、原稿６を原稿台ガラス１に沿って確実に搬送させるためのものである。
【００１４】
搬送ベルト８の搬送方向上流側には、原稿６を多数枚積載可能な原稿トレイ１２及び原稿トレイ１２上の原稿６を分離部に送るためのピックアップローラ１３が設けられている。ピックアップローラ１３の下流側には、ピックアップローラ１３によってピックアップ給紙された原稿６を一枚ずつ分離・搬送する分離給紙ローラ１４が設けられている。また、分離給紙ローラ１４の下流側には、搬送ベルト８と原稿台ガラス１の間に原稿を給送する搬送ローラ１５が配置されている。搬送ベルト８の下流側には、排紙口２１から排紙トレイ１６上に原稿６を搬送する排紙ローラ１７が配置されている。排紙ローラ１７によって排紙された原稿は排紙トレイ１６に積載される。排紙トレイ１６には傾斜部１６ａが形成されている。
【００１５】
図２に排紙トレイ１６の詳細図を示す。
【００１６】
排紙トレイ１６に設けられた軸２５は、後端壁２２を回動可能に支持している。後端壁２２は破線で示すように、付勢バネ２３により反時計周り方向に回動するように付勢されて、ストッパ２４に突き当たっている。後端壁２２の上面部は排紙口２１の近傍に配置されている。後端壁２２の原稿搬送部１０２側には、原稿６と接触した時に原稿６が折れ曲がるのを防止するために、原稿６と排紙壁２２との接触面積を増大させるように傾斜部２２ａが形成されている。
【００１７】
原稿搬送部１０２を原稿読取部１０１より離間させた状態で、原稿台ガラス１上に大判の原稿６を載置する。その後、原稿搬送部１０２を原稿読取部１０１に近接させる時に、原稿６が後端壁２２に接触していると、原稿６は傾斜部２２ａと接触しながら付勢バネ２３に抗して時計方向に後端壁２２を回動させて、実線で示すように横臥させる。つまり、図２において、点線で示した後端壁２２の位置は、排紙トレイ１６に積載された原稿端の位置を規制するため規制位置である。規制位置にある後端壁２２は、原稿搬送部１０２を閉じたとき原稿台ガラス１の上面と排紙トレイ１６の上面との間を遮断するような位置である。そして、後端壁２２は、原稿台ガラス１の上面と排紙トレイ１６の上面とを連通させるような図２において実線で示した位置に移動可能である。
【００１８】
搬送ベルト８で複数枚の原稿６を連続的に搬送しながら画像を読取るシートスルー方式による読取動作行なうときには、第１ミラー２、第２ミラー３、第３ミラー４を搬送ベルト８のほぼ中央部で読取る位置Ｓに移動させてから固定する。そして、搬送されている原稿６の画像を走査し、ＣＣＤ７上に結像させて、読取りを行なう。
【００１９】
本実施形態では、後端壁２２を回転可能に支持しているが、もちろん平行移動できるように支持しても同様の効果が得られる。
【００２０】
（第２の実施形態）
図３は、本第２実施形態の詳細な構成を示す図である。以下では第１実施形態と異なる構成について説明し、第１実施形態と同様の構成については説明を省略する。
【００２１】
本実施形態では、付勢バネ３１の一端を後端壁２２に、他端をソレノイド３２に接続している。原稿搬送部が原稿を搬送しているときに制御手段３３は、ソレノイド３２を動作させることで付勢バネ３１を介して後端壁２２を反時計方向に回動させ、直立させる。この直立した後端壁２２は位置で、後端壁２２は排紙トレイ１６に積載された原稿端の位置を規制する。原稿搬送部が原稿を搬送する時以外の時（原稿搬送部の非動作時）に、制御手段３３は、ソレノイド３２の動作を停止させることで後端壁２２を時計方向に回動させ、横臥させる。後端壁２２を横臥させることで後端壁２２の画像読取部１０１からの突起量を少なくする（図３の状態）。このような構成により、原稿６に後端壁２２を回動させる力が付与されなくなるので、後端壁２２による原稿６への影響が少なくなる。
【図面の簡単な説明】
【００２２】
【図１】第１の実施形態における本装置を示す断面図
【図２】第１の実施形態の詳細な構成を説明する図
【図３】第２の実施形態の詳細な構成を説明する図
【図４】従来例を説明する図
【符号の説明】
【００２３】
１０１  画像読取手段
１０２  原稿搬送手段
１６  排紙トレイ
２２  後端壁、突起部材
２５  支持手段
３２  移動手段
【図１】
2007173944.tif 000003
【図２】
2007173944.tif 000004
【図３】
2007173944.tif 000005
【図４】
2007173944.tif 000006